(57)【特許請求の範囲】
【請求項１】
印字ヘッド及びインクリボンを搭載するキャリアをプラテンと平行に移動させ、かつ、複数色の該インクリボンを保持するリボンガイドを切替えることによって、ある色の該インクリボンに切替えて、該インクリボンを介して印字ヘッドで打撃して媒体に印字する印字装置において、
該プラテンを該印字ヘッドに対向する方向へ動かす駆動手段と、
該リボンガイドの所定の場所に設けられた第１の突起と、
該プラテンの所定の場所に設けられ、該駆動手段による該プラテンの動きに応じて該第１の突起に当接して該リボンガイドの位置を動かして切替える第２の突起とを有することを特徴とする印字装置。
【請求項２】
該第２の突起は、該キャリアが移動する範囲であって、印字範囲外の該プラテンの端部に設けられ、該印字ヘッドに対向して、近づく又は遠ざかることによって該リボンガイドの位置を切替えることを特徴とする請求項１の印字装置。
【請求項３】
該第１の突起は、斜面の形状を有し、
該第２の突起が、該リボンガイドの移動方向に対して垂直な方向から該斜面を押すことにより、該第１の突起は該リボンガイドの移動方向へ移動することを特徴とする請求項１の印字装置。
【請求項４】
該第２の突起は、該リボンガイドの色の数に応じて複数の突起から成り、
該複数の突起は、該プラテンの移動方向に対して垂直方向の同位置に配置されることを特徴とする請求項１の印字装置。
【請求項５】
該第２の突起は、該プラテンの両端に夫々設けられ、
該第２の突起うち、該印字ヘッドからの距離が最短である該第２の突起を選択して、選択された該第２の突起により該リボンガイドを切替えるよう制御することを特徴とする請求項１の印字装置。
【発明の詳細な説明】
【技術分野】
【０００１】
本発明は、印字装置に係り、特に、印字色を切替え可能な印字装置に関する。
【背景技術】
【０００２】
現金自動取引装置や金融機関窓口等で使用される通帳類取扱装置に備えられるドットインパクト方式の印字装置は、印字ヘッドのワイヤ位置にインクリボンを通過させる必要があるため、印字する色を切替える場合には、使用中のインクリボンから、所望の色のインクリボンへワイヤ位置を通過するように切替える必要がある。
【０００３】
この切替えの従来技術として、モータやソレノイド等のアクチュエータによりインクリボンを保持する部材を移動させる技術が多く採用されている。
【０００４】
図７は、従来例による印字装置の印字機構の構成例を示す図であり、(a)は上面図、(b)は右側面図、(c)は正面図である。
【０００５】
印字機構は、印字ヘッド１のワイヤ２でインクリボン３を叩きつけ、プラテン４とインクリボン３の間にある媒体５に文字や図形等を構成するドットを印字するドットインパクト方式の印字機構である。インクリボン３は黒インクの領域３Ｂと赤インクの領域３Ｒの２色の領域に分けられており、インクリボン３の所望の印字色の領域が、印字ヘッド１のワイヤ２の位置を通過するようにリボンガイド６の位置を移動させることで印字色を切替える。
【０００６】
印字色を赤色から黒色に切替えるには、ソレノイド５０により切替シャフト５１の切替シャフトソレノイド側突起５４を下側（図面）に押し下げ、この移動により切替シャフトの他方である切替シャフトリボンガイド側突起５３は上側に移動して切替溝５１は上側に押され、この切替溝５１の移動に伴いリボンガイド６を上側に移動させる。尚、印字色を黒色から赤色に切替えるのは、黒色から赤色の切替えの場合のソレノイド５０による切替シャフト５１の動作が逆となり、その後のシーケンスは同様である。
【０００７】
また、特許文献１及び２には、低コスト化を図るため、アクチュエータを必要としないインクリボン色の切替え技術が開示されている。この技術は、印字ヘッドの動作を利用して動作範囲の両端部に設けた壁に、印字ヘッドと共に移動する可動部材を突き当てることでリボン保持部材を移動させるものである。
【０００８】
【特許文献１】特開平８−０２５７７０号公報
【特許文献２】特開平５−１１６４４２号公報
【発明の開示】
【発明が解決しようとする課題】
【０００９】
しかしながら、従来技術によれば、印字色を切替えるためにアクチュエータ及びアクチュエータとリボン保持部材までのリンク機構等が必要となり装置のコストがかかる。
【００１０】
また、特許文献１及び２のように印字ヘッドの移動を利用し両端部の壁に可動部材を突き当てる技術においては、壁に突き当てる方向により切替える印字色が制限されてしまうため、所望の色への切替えのために突き当てる必要のある側の壁と離れた位置に印字ヘッドが位置している場合には、大幅に印字処理速度が低下してしまう問題がある。
【００１１】
本発明の目的は、低コストで処理能力の高い印字色の切替え機構を備える印字装置を提供することにある。
【課題を解決するための手段】
【００１２】
上記目的を達成するために、本発明の印字装置は、印字ヘッド及びインクリボンを搭載するキャリアをプラテンと平行に移動させ、かつ、複数色の該インクリボンを保持するリボンガイドを切替えることによって、ある色の該インクリボンに切替えて、該インクリボンを介して印字ヘッドで打撃して媒体に印字する印字装置において、該プラテンを該印字ヘッドに対向する方向へ動かす駆動手段と、該リボンガイドの所定の場所に設けられた第１の突起と、該プラテンの所定の場所に設けられ、該駆動手段による該プラテンの動きに応じて該第１の突起に当接して該リボンガイドの位置を動かして切替える第２の突起とを有するように構成することができる。
【００１３】
また、該第２の突起は、該キャリアが移動する範囲であって、印字範囲外の該プラテンの端部に設けられ、該印字ヘッドに対向して、近づく又は遠ざかることによって該リボンガイドの位置を切替えるように構成することができる。
【００１４】
また、該第１の突起は、斜面の形状を有し、該第２の突起が、該リボンガイドの移動方向に対して垂直な方向から該斜面を押すことにより、該第１の突起は該リボンガイドの移動方向へ移動するように構成することができる。
【００１５】
また、該第２の突起は、該リボンガイドの色の数に応じて複数の突起から成り、該複数の突起は、該プラテンの移動方向に対して垂直方向の同位置に配置されるように構成することができる。
【００１６】
また、該第２の突起は、該プラテンの両端に夫々設けられ、該第２の突起うち、該印字ヘッドからの距離が最短である該第２の突起を選択して、選択された該第２の突起により該リボンガイドを切替えるよう制御するように構成することができる。
【発明の効果】
【００１７】
本発明によれば、インクリボン色切替用のアクチュエータが不要となり、低コストが図れる。
【発明を実施するための最良の形態】
【００１８】
次に、本発明を実施するための最良の形態を、以下の実施例に基づき図面を参照しつつ説明する。
【００１９】
まず、図１を参照して、本実施例の印字装置について説明する。
〔実施例１〕
図１は、実施例１による印字装置の印字機構の構成例を示す図であり、(a)は上面図、(b)は右側面図、(c)は正面図である。
【００２０】
本実施例の印字機構は、印字ヘッド１のワイヤ２でインクリボン３を叩きつけ、プラテン４とインクリボン３の間にある媒体５に文字や図形等を構成するドットを印字するドットインパクト方式の印字機構である。
【００２１】
インクリボン３は黒インクの領域３Ｂと赤インクの領域３Ｒの２色の領域に分けられており、インクリボン３の所望の印字色の領域が、印字ヘッド１のワイヤ２の位置を通過するようにインクリボン位置切替手段となるリボンガイド６の位置を移動させることで印字色を切替える。
【００２２】
リボンガイド６はキャリア７のガイドレール８とガイドピン９で保持されており、キャリア７は印字ヘッド１と一体でシャフト１０に沿ってモータ１１により左右に移動させることで媒体の幅方向の所望の位置に印字を行う。
【００２３】
ここで、印字領域１６Ｍと印字外領域１６Ｒ及び１６Ｌについて説明する。印字領域１６Ｍは、通常の印字動作でキャリア７が移動する範囲である。一方、印字外領域１６Ｒ及び１６Ｌは、通常の印字動作においては移動する必要の無い範囲であり、キャリア７の左側が印字外領域１６Ｌ、右側が印字外領域１６Ｒである。駆動突起１４及び１８（詳細は後述する）は、この印字外領域１６Ｒ及び１６Ｌに設ける。
【００２４】
また、これらの領域と印字色の切替及び通常の印字動作との関係について次に説明する。印字機構部は、上位装置から印字色の切替指示を受けると、キャリア７を印字外領域１６Ｒに移動させて、この印字外領域１６Ｒで印字色を切替える。印字色が切替わると、印字機構部は、キャリア７を印字領域１６Ｍに移動させ、印字動作を行う。その後、印字色の切替指示を受ければ、キャリア７を印字外領域１６Ｒに移動させて、この印字外領域１６Ｒで印字色を切替える。つまり、印字色の切替は印字外領域１６Ｒで、通常の印字動作は印字領域１６Ｍで行う。
【００２５】
プラテン４はソレノイド１２により上昇、下降及び中間の状態で保持することが可能であり、印字ヘッド１のワイヤ２をインクリボン３に叩きつけて印字を行う際にはプラテン４を上昇させ印字に必要な媒体５と印字ヘッド１との最適なギャップを確保し、媒体５の搬送時にはプラテン４を下降させ媒体の搬送の障害とならないよう搬送路空間を確保する。
【００２６】
図６は、印字機構部の制御を説明するためのブロック図である。
【００２７】
印字機構部は、上位装置１０６からの印字指示により印字内容、位置、色等の印字データを受け、印字キャリアを所定の位置へモータ１０４を制御することにより移動させ、ドットデータに変換した印字内容を印字ヘッド１０３のワイヤを駆動して媒体への印字を行う。印字キャリアの位置制御は、印字キャリアの移動基準となる位置に配置されたセンサ１０２を基準として、そのセンサ１０２からの印字キャリア移動量により行う。印字色を切り替える際には、処理速度が最も有利となるような印字キャリア位置を選択し、その位置へ印字キャリアを移動させ、プラテンをソレノイドで上昇または下降させることにより印字色の切替を行う。
【００２８】
次に、印字する色を指定した色に切替える動作について説明する。
【００２９】
図２は、プラテン４を上昇させて印字色を赤色から黒色に切替える動作を説明する図であり、印字機構の(a)は上面図、(b)は右側面図、(c)は正面図である。
【００３０】
リボンガイド６が、ストッパ１３に当たっている位置では、インクリボン３の赤インクの領域３Ｒが印字ヘッド１のワイヤ２位置を通過しているため赤色で印字する状態にある。この状態から印字色を黒色に切替えたい場合、プラテン４と一体となって上昇、下降動作を行うように設けた駆動突起１４の位置に、キャリア７をモータ１１でＲ方向へ移動することにより、リボンガイド６に設けた従動突起１５をＲ方向に移動させる（図１(a)の状態から図２(a)の状態に移動）。駆動突起１４は、通常の印字動作においては移動する必要の無い左側又は右側の印字外領域１６Ｒ（図１(a)）の範囲内に設けられている。
【００３１】
キャリア７が図２(a)の位置にある状態でソレノイド１２によりプラテン４を上昇させると、プラテン４の駆動突起１４がリボンガイド６の従動突起１５に接触を始める。さらに、プラテン４が上昇すると従動突起１５の斜面１５Ｆが駆動突起１４で押されることにより、リボンガイド６はガイドレール８に倣って図２(b)のＦ方向に押され、リボンガイド６とキャリア７の間に取付けられた切替ばね１６が図２(a)のＲＦ方向に向かって移動し、切替ばね１６が中立位置を超えるとばねの作用によりリボンガイド６はＦ方向に加勢され、ストッパ１７に突当たるまでＦ方向に移動する。その結果、図２(c)に示すようにインクリボン３の黒インクの領域３Ｂが印字ヘッド１のワイヤ２位置を通過するようになり、以降の印字が黒色で印字されるように切替わる。
【００３２】
図３は、プラテン４を上昇させて印字色を赤色から黒色に切替える動作を説明する図であり、印字機構の(a)は上面図、(b)は右側面図、(c)は正面図である。
【００３３】
印字色を黒色から赤色に切替えたい場合は、プラテン４と一体となって上昇、下降動作を行うように設けた駆動突起１８の位置に、キャリア７をモータ１１でＲ方向へ移動することによりリボンガイド６に設けた従動突起１５をＲ方向に移動させる（図３(a)の状態に移動）。このキャリア７を移動させる位置は、赤色から黒色印字へ切替える際と同じである。
【００３４】
キャリア７が、図３(b)の位置にある状態でソレノイド１２によりプラテン４を下降させると、プラテン４の駆動突起１８がリボンガイド６の従動突起１５に接触を始める。さらに、プラテン４が下降すると従動突起１５の斜面１５Ｂが駆動突起１８で押されることにより、リボンガイド６はガイドレール８に倣って図３(b)のＢ方向に押され、リボンガイド６とキャリア７の間に取付けられた切替ばね１６が図３(a)のＲＢ方向に向かって移動し、切替ばね１６が中立位置を超えるとばねの作用によりリボンガイド６はＢ方向に加勢され、ストッパ１３に突当たるまでＢ方向に移動する。その結果、図３(c)に示すようにインクリボン３の赤インクの領域３Ｒが印字ヘッド１のワイヤ２位置を通過するようになり、以降の印字が赤色で印字されるように切替わる。
【００３５】
ここで、印字色を切替える際にキャリア７を移動させる駆動突起１４、１８の位置は赤色から黒色への切替え、黒色から赤色への切替えの何れにおいても同一でよいので、切替える色に依存して、キャリア７を長距離移動しなければならない、というような状況は発生しない。
【００３６】
また、右側の印字外領域１６Ｒ内だけでなく、左側の印字外領域１６Ｌ内にも駆動突起１４、１８及び従動突起１５を設け、キャリア７から左右どちらか近い側の駆動突起を選択してリボンガイド６を駆動させて印字色を切替える構成としてもよい。駆動突起の選択については、印字キャリアの移動基準となる位置に配置されたセンサ１０２に基づいて判断する。この構成の場合、キャリア７の位置に応じて印字色を切替える処理速度が有利となる側の駆動突起で印字色を切替えることができる。
〔実施例２〕
図４は、実施例２による印字機構の構成例を示す図である。
【００３７】
印字機構は、駆動突起２０及び駆動突起２１をプラテン４の片側（図４（ａ）の上側）に設けた構成である。
【００３８】
印字機構の印字色を切替える動作を説明する。印字色の赤色から黒色への切替えは、従動突起１９を図４(c)に示すように駆動突起２０の位置に移動（Ｒ方向）してプラテン４を上昇させる。一方、黒色から赤色への切替は、従動突起１９を図４(e)に示すように駆動突起２１の位置に移動（Ｒ方向）してプラテン４を下降させる。
【００３９】
実施例１では、プラテン４の上昇によりリボンガイド６をＦ方向へ移動するための駆動突起１４をプラテン４のＢ方向側に、プラテン４の下降によりリボンガイド６をＢ方向へ移動するための駆動突起１８をプラテン４のＦ方向側に設けているが、印字機構の実装上の制約等でプラテン４の片側のみにしか駆動突起を設けられない場合や駆動突起を片側に集約することによる機構簡素化を図る等の場合に、本実施例は効果がある。尚、印字色を切替えるためのキャリア７を移動させる位置は、実施例１と同様にほぼ同一である。
【００４０】
尚、プラテン４の下降動作で駆動する駆動突起２１は、図４(a)のようにプラテン４の上昇動作で駆動する駆動突起２０よりもキャリア７に対して外側（Ｒ方向側）となるように配置するとキャリア７に干渉（駆動突起２０とキャリア７との衝突）することなく動作できる。
〔実施例３〕
図５は、実施例３による印字機構の構成例を示す図である。
【００４１】
印字機構は、駆動突起２３及び駆動突起２４をプラテン４の両側（図４（ａ）の上下側）に設けた構成である。
【００４２】
印字機構の印字色を切替える動作を説明する。印字色を赤色から黒色に切替えたい場合、従動突起２２を図５(c)に示すように駆動突起２３の位置に移動してプラテン４を上昇させることで、実施例１又は２と同様にリボンガイド６をストッパ１７に突当て印字色の切替えを行う。一方、印字色を黒色から赤色に切替えたい場合は、従動突起２２を図５(e)に示すように駆動突起２４の位置に移動してプラテン４を上昇させる。
【００４３】
プラテン４の下降動作を利用できない場合、制御や機構簡素化などの制約によりプラテン４の下降動作を切替えに利用しない場合には、本実施例によりプラテン４の上昇動作のみでも印字色の切替えを行うことが可能となる。
【００４４】
尚、既にリボンガイド６がストッパ１３に突当たり赤色印字の状態にある時に、黒色から赤色への切替え動作を行うために駆動突起２４の位置でプラテン４を上昇させることがあると、駆動突起２３がリボンガイド６に干渉する場合があるため、これを避けるために駆動突起２３の位置で一旦、プラテン４の上昇動作を行ってから、駆動突起２４の位置に移動しプラテン４の上昇動作を行えばさらに確実な動作が実現できる。
【００４５】
尚、本発明は、具体的に開示された実施例に限定されるものではなく、特許請求の範囲から逸脱することなく、種々の変形や変更が可能である。
【図面の簡単な説明】
【００４６】
【図１】実施例１による印字機構の構成例を示す図。
【図２】印字色を赤色から黒色に切替える動作を説明する図。
【図３】印字色を黒色から赤色に切替える動作を説明する図。
【図４】実施例２による印字機構の構成例を示す図。
【図５】実施例３による印字機構の構成例を示す図。
【図６】本実施例による印字機構部のブロック図。
【図７】従来例による印字装置の印字機構の構成例を示す図。
【符号の説明】
【００４７】
１：印字ヘッド、  ２：ワイヤ、  ３：インクリボン、  ４：プラテン、  ５：媒体、  ６：リボンガイド、  ７：キャリア、  ８：ガイドレール、  ９：ガイドピン  、１０：シャフト、  １１：モータ、  １２：ソレノイド、  １３、１７：ストッパ、  １４、１８、２０、２１、２３，２４：駆動突起、  １５、１９、２２：従動突起、  １６：切替ばね。
【図１】
0004929091.tif 000002
【図２】
0004929091.tif 000003
【図３】
0004929091.tif 000004
【図４】
0004929091.tif 000005
【図５】
0004929091.tif 000006
【図６】
0004929091.tif 000007
【図７】
0004929091.tif 000008